(57)【要約】【課題】剥離紙を用いることなく、被着体への貼着及びその後の被着体からの剥離を検出可能な構成を実現する。【解決手段】フィルム基材１０の一方の面の一部に、被着体に貼着した後に剥離するとその一部が被着体に残存する剥離表示機能部２０を有し、さらに、フィルム基材１０の剥離表示機能部２０に隣接する領域に形成されたミシン目１１と、ミシン目１１にてフィルム基材１０が折り畳まれた場合に剥離表示機能部２０に対向する領域に剥離剤によって形成された剥離部３０とを有する。【選択図】図１
2010111422.tif 000002
【特許請求の範囲】
【請求項１】
シート基材の一方の面の一部に、被着体に貼着した後に剥離するとその一部が前記被着体に残存する剥離表示機能部を有することにより、前記被着体への貼着後の剥離を検出可能とする剥離検出機能付き貼着シートにおいて、
前記シート基材の前記剥離表示機能部に隣接する領域に形成された折り部と、
前記折り部にて前記シート基材が折り畳まれた場合に前記剥離表示機能部に対向する領域に剥離剤によって形成された剥離部とを有することを特徴とする剥離検出機能付き貼着シート。
【請求項２】
請求項１に記載の剥離検出機能付き貼着シートにおいて、
前記剥離部は、前記シート基材の端部に設けられている剥離検出機能付き貼着シート。
【発明の詳細な説明】
【技術分野】
【０００１】
本発明は、被着体への貼着後の剥離を検出可能とする剥離検出機能付き貼着シートに関する。
【背景技術】
【０００２】
従来より、苺や葡萄等の食料品を透明なプラスチック容器に入れて販売することが行われている。このようなプラスチック容器は、開口面を有しており、この開口面から食料品を入れた後、開口面を透明のフィルムでラッピングすることにより、食料品がプラスチック容器からこぼれ落ちないようにして販売される。プラスチック容器の開口面をラッピングする透明のフィルムには、その食料品の品種や製品名等の商標が表示されており、消費者は、その表示された商標を参照しながら食料品を購入している。
【０００３】
ところが、近年、上述したようなプラスチック容器に入れられた食料品を入れ替えることにより、食料品の商標を偽装することが行われている。透明のフィルムは、プラスチック容器の開口部を覆った状態で、その両端部にてプラスチック容器に貼着されており、その貼着部分を剥がして食料品を入れ替えることにより、プラスチック容器に入った食料品の商標が偽装されている。
【０００４】
ここで、基材層支持体の一方の面の一部に剥離層を設け、この剥離層を覆うように基材層支持体の一方の面の全面に着色層及び粘着剤層を順次積層し、この粘着剤層によって被着体に貼着した後に剥離した場合、着色層のうち剥離層上に積層された部分が粘着剤層とともに被着体に残存し、それにより、剥離されたことが視認できる粘着シートが考えられている（例えば、特許文献１参照。）。
【０００５】
このような粘着シートの構成を上述したプラスチック容器の開口面をラッピングするフィルムに用いれば、フィルムがプラスチック容器に貼着された後に剥離された場合に、その旨を検出することができ、プラスチック容器に入った食料品の商標の偽装を防止することができる。
【特許文献１】特開２００４−３２３６５８号公報
【発明の開示】
【発明が解決しようとする課題】
【０００６】
上述した粘着シートにおいては、基材層支持体の一方の面の最表面に粘着剤層が積層されているため、使用前の状態においては、この粘着剤層を覆うように剥離紙を剥離可能に貼付しておく必要がある。そのため、剥離紙の分のコストアップが生じてしまうとともに、この粘着シートを使用するために剥離紙を剥離した後、この剥離紙によるごみが生じてしまうという問題点がある。
【０００７】
本発明は、上述したような従来の技術が有する問題点に鑑みてなされたものであって、剥離紙を用いることなく、被着体への貼着及びその後の被着体からの剥離を検出可能な構成を実現することができる剥離検出機能付き貼着シートを提供することを目的とする。
【課題を解決するための手段】
【０００８】
上記目的を達成するために本発明は、
シート基材の一方の面の一部に、被着体に貼着した後に剥離するとその一部が前記被着体に残存する剥離表示機能部を有することにより、前記被着体への貼着後の剥離を検出可能とする剥離検出機能付き貼着シートにおいて、
前記シート基材の前記剥離表示機能部に隣接する領域に形成された折り部と、
前記折り部にて前記シート基材が折り畳まれた場合に前記剥離表示機能部に対向する領域に剥離剤によって形成された剥離部とを有することを特徴とする。
【０００９】
上記のように構成された本発明においては、使用前の状態においてはシート基材に形成された折り部にて折り畳まれている。この折り部は、シート基材のうち、被着体に貼着した後に剥離するとその一部が被着体に残存する剥離表示機能部に隣接する領域に形成されており、また、折り部にてシート基材が折り畳まれた場合に剥離表示機能部に対向する領域には剥離剤によって剥離部が形成されているため、シート基材が折り畳まれた状態では、剥離表示機能部が剥離部に剥離可能に貼着した状態となっている。この剥離検出機能付き貼着シートを使用する場合は、剥離表示機能部と剥離部とを剥離し、折り部にて折り畳まれたシート基材を見開き、剥離表示機能部を被着体に貼着することにより使用する。剥離表示機能部は、被着体に貼着可能な構成を有しているものの、使用前の状態においては、シート基材に形成された剥離部に剥離可能に貼着されているため、使用前の状態において剥離表示機能部に貼着しておく剥離紙を必要としない。
【００１０】
また、剥離部がシート基材の端部に設けられていれば、この剥離検出機能付き貼着シートを物品等に貼着する際に、剥離部を摘み代として摘んで貼着することができるため、剥離検出機能付き貼着シートを物品等に貼着しやすくなるとともに、剥離表示機能部によって手等が汚れることがない。
【発明の効果】
【００１１】
以上説明したように本発明においては、シート基材の一方の面の一部に、被着体に貼着した後に剥離するとその一部が被着体に残存する剥離表示機能部を有し、さらに、シート基材の剥離表示機能部に隣接する領域に形成された折り部と、折り部にてシート基材が折り畳まれた場合に剥離表示機能部に対向する領域に剥離剤によって形成された剥離部とを有する構成としたため、剥離表示機能部が、被着体に貼着可能な構成を有しているものの、シート基材を折り畳むことにより剥離部に剥離可能に貼着されることとなり、使用前の状態において剥離表示機能部に貼着しておく剥離紙を必要とせずに、被着体への貼着及びその後の被着体からの剥離を検出可能とする構成を実現することができる。
【００１２】
また、剥離部がシート基材の端部に設けられているものにおいては、この剥離検出機能付き貼着シートを物品等に貼着する際に、剥離部を摘み代として摘んで貼着することができるため、剥離検出機能付き貼着シートを物品等に貼着しやすくなるとともに、剥離表示機能部によって手等が汚れることがない。
【発明を実施するための最良の形態】
【００１３】
以下に、本発明の実施の形態について図面を参照して説明する。
【００１４】
（第１の実施の形態）
図１は、本発明の剥離検出機能付き貼着シートの第１の実施の形態を示す図であり、（ａ）は平面図、（ｂ）は（ａ）に示したＡ−Ａ’断面図、（ｃ）は（ｂ）に示したＢ部の詳細な構成を示す図、（ｄ）は（ｂ）に示したラッピングフィルム１を折り畳んだ状態を示す図である。
【００１５】
本形態は図１に示すように、ＰＰ（ポリプロピレン）等の切断容易な材料からなるシート基材となる透明なフィルム基材１０の一方の面の一部に剥離部３０と剥離表示機能部２０とが設けられて構成されている。剥離部３０は、フィルム基材１０の一方の面のうち、その両端部にそれぞれ沿って帯状に剥離剤が塗布されることにより形成されている。剥離表示機能部２０は、フィルム基材１０の剥離部３０が形成された面において剥離部３０に沿うように帯状に形成されている。また、フィルム基材１０の剥離表示機能部２０に隣接する領域のうち剥離部３０側には、折り部となるミシン目１１が、剥離部３０と剥離表示機能部２０とに沿うように形成されている。さらに、フィルム基材１０の剥離部３０及び剥離表示機能部２０が形成された面において、剥離表示機能部２０の剥離部３０とは反対側の領域に剥離表示機能部２０に沿うようにＰＥＴ（ポリエチレンテレフタレート）等の切断が困難な材料からなる白色のティアテープ１２が貼着されており、フィルム基材１０のティアテープ１２が貼着された領域の一部にＨ型の切り込み１３が形成されている。
【００１６】
剥離表示機能部２０は図１（ｃ）に示すように、フィルム基材１０上に、メジウム等からなるアンカー剤２１が積層され、その上に剥離剤２２がパターン塗工されている。図１に示したものにおいては、剥離剤２２は、“ＯＰＥＮ”という文字にパターン塗工されている。剥離剤２２がパターン塗工されたアンカー剤２１上には、印刷インキによって着色層２３が形成されており、この着色層２３上にはホットメルト等の粘着剤２４が塗工されている。なお、剥離剤２２と着色層２３との付着力は、粘着剤２４と剥離部３０との貼着力よりも強いものとなっている。
【００１７】
このように構成されたラッピングフィルム１は、図１（ｄ）に示すように、フィルム基材１０の剥離部３０及び剥離表示機能部２０が形成された面が形成された面が内側となるようにしてミシン目１１を折り部として折り畳まれ、剥離部３０と剥離表示機能部２０とが貼着されて保管される。すなわち、剥離部３０と剥離表示機能部２０とは、フィルム基材１０がミシン目１１にて折り畳まれた場合に互いに対向する領域に形成されていることになる。剥離表示機能部２０の最表面には、上述したように粘着剤２４が塗工されているため、フィルム基材１０が折り畳まれると、剥離表示機能部２０が剥離表示機能部２０に対向する領域と貼着されるが、その領域は剥離部３０となっているため、これら剥離表示機能部２０と剥離部３０とが剥離可能に貼着されることになる。
【００１８】
以下に、上記のように構成されたラッピングフィルム１の使用方法について説明する。
【００１９】
図２は、図１に示したラッピングフィルム１の使用方法を説明するための図である。
【００２０】
図１に示したラッピングフィルム１は上述したように、フィルム基材１０の剥離部３０及び剥離表示機能部２０が形成された面が形成された面が内側となるようにしてミシン目１１を折り部として折り畳まれ、剥離部３０と剥離表示機能部２０とが互いに貼着されて保管されている（図２（ａ））。
【００２１】
このように保管されたラッピングフィルム１を使用する場合は、まず、互いに貼着された剥離部３０と剥離表示機能部２０とを剥離し、フィルム基材１０を見開く（図２（ｂ））。剥離部３０と剥離表示機能部２０とは、剥離表示機能部２０の最表面に塗工された粘着剤２４によって互いに貼着されているが、剥離部３０を構成する剥離剤によってこれらは剥離可能となっているため、互いに貼着された剥離部３０と剥離表示機能部２０とを剥離することができる。また、剥離表示機能部２０においても、アンカー剤２１上に塗工された剥離剤２２上に着色層２３が形成されている部分が存在するが、剥離剤２２と着色層２３との付着力は、上述したように粘着剤２４と剥離部３０との貼着力よりも強いものとなっているため、剥離部３０と剥離表示機能部２０とを剥離する際、剥離剤２２と着色層２３とが剥離してしまうことはない。
【００２２】
そして、ラッピングフィルム１を、食料品等が入れられた開口面を有するプラスチック容器２の開口面を覆うようにし、その状態で剥離表示機能部２０を剥離表示機能部２０の最表面に塗工された粘着剤２４によってプラスチック容器２の側面に貼着する（図２（ｃ））。これにより、食料品等が入れられたプラスチック容器２の開口部がラッピングフィルム１によって覆われ、食料品等がプラスチック容器２からこぼれ落ちることが回避される。この際、ラッピングフィルム１の端部には剥離部３０が設けられているため、ラッピングフィルム１をプラスチック容器２に貼着する際に、剥離部３０を摘み代として摘んで貼着することができ、それにより、ラッピングフィルム１をプラスチック容器２に貼着しやすくなるとともに、ラッピングフィルム１の剥離表示機能部２０の最表面に塗工された粘着剤２４によって手等が汚れることがない。
【００２３】
その後、プラスチック容器２に入れられた食料品等を取り出す場合、ラッピングフィルム１のフィルム基材１０を、切り込み１３からティアテープ１２を持ち上げることによって破断していく（図２（ｄ））。上述したように、フィルム基材１０がＰＰ（ポリプロピレン）等の切断容易な材料からなり、ティアテープ１２がＰＥＴ（ポリエチレンテレフタレート）等の切断が困難な材料からなるものであるため、ティアテープ１２を持ち上げることによって、フィルム基材１０のティアテープ１２が貼着された領域を破断していくことができる。
【００２４】
そして、フィルム基材１０のティアテープ１２が貼着された領域を全て破断し、プラスチック容器２に入れられた食料品等を取り出すことになる（図２（ｅ））。このように、プラスチック容器２に入れられた食料品等を取り出す場合に、プラスチック容器２の側面にて貼着されたラッピングフィルム１の剥離表示機能部２０をプラスチック容器２から剥離するのではなく、ラッピングフィルム１のプラスチック容器２に貼着されていない領域を破断することによって食料品等を取り出すことになるので、プラスチック容器２に入れられた食料品等を取り出す際、食料品等がラッピングフィルム１に当たることによって潰れる等、破損してしまうことを回避することができる。
【００２５】
以下に、図１に示したラッピングフィルム１の剥離表示機能部２０による作用について説明する。
【００２６】
図３は、図１に示したラッピングフィルム１を図２に示したプラスチック容器２に貼着した後に剥離した際の剥離表示機能部２０による作用を説明するための図であり、（ａ）はラッピングフィルム１の剥離状態を示す図、（ｂ）はラッピングフィルム１を剥離した後のプラスチック容器２の状態を示す図である。
【００２７】
図１に示したラッピングフィルム１を図２に示したプラスチック容器２に貼着した後に剥離していくと、ラッピングフィルム１をプラスチック容器２に貼着していた剥離表示機能部２０の粘着剤２４とプラスチック容器２との界面にてこれらが互いに剥離していくが、剥離表示機能部２０のアンカー剤２１上に剥離剤２２が塗工された領域においては、この剥離剤２２とその上に形成された着色剤２３とが剥離し、図３（ａ）に示すように、着色層２３及び粘着剤２４のうち剥離剤２２上に形成された領域のみがプラスチック容器２側に残存する。
【００２８】
それにより、プラスチック容器２に貼着されたラッピングフィルム１をプラスチック容器２から剥離すると、図３（ｂ）に示すように、剥離剤２２の塗工パターンである“ＯＰＥＮ”という文字が着色層２３の色によってプラスチック容器２に表示され、プラスチック容器２に貼着されたラッピングフィルム１がプラスチック容器２から剥離されたことが検出されることになる。
【００２９】
このように本形態においては、フィルム基材１０の一方の面の一部に、プラスチック容器２に貼着した後に剥離するとその一部がプラスチック容器２に残存する剥離表示機能部２０を有し、さらに、フィルム基材１０の剥離表示機能部２０に隣接する領域に形成されたミシン目１１と、ミシン目１１にてフィルム基材１０が折り畳まれた場合に剥離表示機能部２０に対向する領域に剥離剤によって形成された剥離部３０とを有する構成であるため、剥離表示機能部２０が、プラスチック容器２に貼着可能な構成を有しているものの、フィルム基材１０をミシン目１１にて折り畳むことにより剥離部３０に剥離可能に貼着されることとなり、使用前の状態において剥離表示機能部２０に貼着しておく剥離紙を必要とせずに、プラスチック容器２への貼着及びその後のプラスチック容器２からの剥離を検出可能とする構成を実現することができる。
【００３０】
（第２の実施の形態）
図４は、本発明の剥離検出機能付き貼着シートの第２の実施の形態を示す図であり、（ａ）は平面図、（ｂ）は（ａ）に示したＡ−Ａ’断面図、（ｃ）は（ｂ）に示したラッピングフィルム１０１を折り畳んだ状態を示す図である。
【００３１】
本形態は図４に示すように、第１の実施の形態にて示したものに対して、剥離表示機能部２０と剥離部３０とのフィルム基材１０における形成領域が互いに入れ替わっているとともに、フィルム基材１０を破断するための手段として、図１に示したティアテープ１２の代わりにミシン目１１２が形成されている点が異なるものである。また、フィルム基材１０のミシン目１１２の端部となる領域には、フィルム基材１０の内側に凹んだ切り込み１１３が形成されており、また、ミシン目１１２の一部においては、他の領域に対してカット部が長くなったきっかけ部１１２ａが形成されている。
【００３２】
以下に、上記のように構成されたラッピングフィルム１０１の使用方法について説明する。
【００３３】
図５は、図４に示したラッピングフィルム１０１の使用方法を説明するための図である。
【００３４】
図４に示したラッピングフィルム１０１は、図４（ｃ）に示したように、フィルム基材１０の剥離部３０及び剥離表示機能部２０が形成された面が形成された面が内側となるようにしてミシン目１１を折り部として折り畳まれ、剥離部３０と剥離表示機能部２０とが互いに貼着されて保管されている（図５（ａ））。
【００３５】
このように保管されたラッピングフィルム１を使用する場合は、まず、互いに貼着された剥離部３０と剥離表示機能部２０とを剥離し、フィルム基材１０を見開く（図５（ｂ））。
【００３６】
そして、ラッピングフィルム１０１を、食料品等が入れられた開口面を有するプラスチック容器２の開口面を覆うようにし、その状態で剥離表示機能部２０を剥離表示機能部２０の最表面に塗工された粘着剤２４によってプラスチック容器２の側面に貼着する（図５（ｃ））。これにより、食料品等が入れられたプラスチック容器２の開口部がラッピングフィルム１によって覆われ、食料品等がプラスチック容器２からこぼれ落ちることが回避される。この状態において、フィルム基材１０のミシン目１１２の端部となる領域に、フィルム基材１０の内側に凹んだ切り込み１１３が形成されているため、ミシン目１１２の端部がフィルム基材１０の端辺に表出しておらず、それにより、ミシン目１１２の端部が意図せずに物品等に接触してミシン目１１２が破断していってしまうことを回避することができる。
【００３７】
その後、プラスチック容器２に入れられた食料品等を取り出す場合、ラッピングフィルム１のフィルム基材１０に形成されたミシン目１１２のうち、きっかけ部１１２ａに指を挿入し、ミシン目１１２を一方の方向に破断していく（図５（ｄ））。
【００３８】
そして、フィルム基材１０のミシン目１１２を全て破断し、プラスチック容器２に入れられた食料品等を取り出すことになる（図５（ｅ））。
【００３９】
上述したラッピングフィルム１０１においても、第１の実施の形態に示したものと同様に、プラスチック容器２に貼着した後に剥離すると、剥離表示機能部２０の一部がプラスチック容器２側に残存し、それにより、剥離剤２２の塗工パターンである“ＯＰＥＮ”という文字が着色層２３の色によってプラスチック容器２に表示され、プラスチック容器２に貼着されたラッピングフィルム１がプラスチック容器２から剥離されたことが検出可能となる。
【００４０】
なお、上述した２つの実施の形態においては、フィルム基材１０を折り畳むための折り部としてフィルム基材１０にミシン目１１が形成されているが、ミシン目１１ではなく、筋押し加工による折り線を形成してもよい。
【００４１】
また、剥離表示機能部２０においては、粘着剤２４として着色されたものを用いれば、着色層２３を設ける必要はない。
【００４２】
また、上述した２つの実施の形態に示したラッピングフィルム１，１０１は、単片状となっているが、剥離表示機能部２０及び剥離部３０が帯状に延びる方向に連続した連続状のものであってもよい。
【図面の簡単な説明】
【００４３】
【図１】本発明の剥離検出機能付き貼着シートの第１の実施の形態を示す図であり、（ａ）は平面図、（ｂ）は（ａ）に示したＡ−Ａ’断面図、（ｃ）は（ｂ）に示したＢ部の詳細な構成を示す図、（ｄ）は（ｂ）に示したラッピングフィルムを折り畳んだ状態を示す図である。
【図２】図１に示したラッピングフィルムの使用方法を説明するための図である。
【図３】図１に示したラッピングフィルムを図２に示したプラスチック容器に貼着した後に剥離した際の剥離表示機能部による作用を説明するための図であり、（ａ）はラッピングフィルムの剥離状態を示す図、（ｂ）はラッピングフィルムを剥離した後のプラスチック容器の状態を示す図である。
【図４】本発明の剥離検出機能付き貼着シートの第２の実施の形態を示す図であり、（ａ）は平面図、（ｂ）は（ａ）に示したＡ−Ａ’断面図、（ｃ）は（ｂ）に示したラッピングフィルムを折り畳んだ状態を示す図である。
【図５】図４に示したラッピングフィルムの使用方法を説明するための図である。
【符号の説明】
【００４４】
１，１０１    ラッピングフィルム
２    プラスチック容器
１０    フィルム基材
１１，１１２    ミシン目
１２    ティアテープ
１３，１１３    切り込み
２０    剥離表示機能部
２１    アンカー剤
２２    剥離剤
２３    着色層
２４    粘着剤
３０    剥離部
１１２ａ    きっかけ部
【図１】
2010111422.tif 000003
【図２】
2010111422.tif 000004
【図３】
2010111422.tif 000005
【図４】
2010111422.tif 000006
【図５】
2010111422.tif 000007